(57)【要約】【課題】  同一チャンネルにおいて異なる帯域を使って行われる各放送の番組を同時に録画できる番組録画装置を提供し、更には複数の装置を同一の録画番組の再生に使用する場合に、その再生を快適に行えるようにする技術を提供する。【解決手段】  番組録画を行う場合、チューナー部１０１、１０２はそれぞれ１２セグメントが割り当てられた放送、１セグメントが割り当てられた放送の信号を受信する。チューナー部１０１、１０２がそれぞれ出力する受信信号はＯＦＤＭ復調回路１０３、１０４で復調され、それによって得られた各データが映像記憶部１１１に記憶される。それにより、異なる放送の番組が同時に録画される。【選択図】      図１
2005204064.tif 000002
【特許請求の範囲】
【請求項１】
同一チャンネルを複数の帯域に分割し、該帯域毎に異なる符号化方式を採用できるデジタル放送で送信されるデータを記憶させることで番組録画を行う番組録画装置において、
前記デジタル放送で送信されるデータを前記符号化方式別に受信して復調するための複数のデータ受信手段と、
前記番組録画を行う場合に、前記複数のデータ受信手段がそれぞれ受信して復調するデータを記憶装置に並行して記憶させる番組録画手段と、
を具備することを特徴とする番組録画装置。
【請求項２】
前記番組録画手段が前記記憶装置に並行して記憶させた、前記符号化方式が異なるデータ、及び該データを復号化して得られるデータを出力できるデータ出力手段と、
前記データ出力手段が出力したデータにより、前記番組、及び前記符号化方式毎に、前記記憶装置に記憶されたデータ中で再生された再生位置を特定する再生位置特定手段と、
前記番組録画手段が前記記憶装置に記憶されたデータを前記データ出力手段に転送させる場合に、前記再生位置特定手段が特定した、該データに対応する再生位置を示す再生位置情報を併せて転送させる再生管理手段と、
を更に具備することを特徴とする請求項１記載の番組録画装置。
【請求項３】
前記再生管理手段は、前記記憶装置に記憶されたデータを再生できる携帯端末装置に該データを前記データ出力手段に前記再生位置情報と併せて転送させた場合に、該携帯端末装置から送信される再生位置情報を前記再生位置特定手段による再生位置の特定に反映させる、
ことを特徴とする請求項２記載の番組録画装置。
【請求項４】
同一チャンネルを複数の帯域に分割し、該帯域毎に異なる符号化方式を採用できるデジタル放送で送信されるデータを再生できる携帯端末装置において、
前記データを再生する再生手段と、
前記データを記憶装置に記憶させて番組録画を行う番組録画装置から該データを該データの再生位置を示す再生位置情報と併せて取得するデータ取得手段と、
前記データ取得手段が取得したデータを、前記再生位置情報が示す再生位置から前記再生手段に再生させる制御を実行できる再生制御手段と、
を具備することを特徴とする携帯端末装置。
【請求項５】
前記再生手段による前記データの再生に応じて、前記再生位置情報を更新する位置情報更新手段と、
前記位置情報更新手段が更新した再生位置情報を前記番組録画装置に送信できる情報送信手段と、
を更に具備することを特徴とする請求項４記載の携帯端末装置。
【請求項６】
同一チャンネルを複数の帯域に分割し、該帯域毎に異なる符号化方式を採用できるデジタル放送で送信されるデータを再生できる携帯端末装置に実行させるプログラムであって、
前記データを再生する機能と、
前記データを記憶装置に記憶させて番組録画を行う番組録画装置から該データを該データの再生位置を示す再生位置情報と併せて取得する機能と、
前記取得する機能により取得したデータを、前記再生位置情報が示す再生位置から前記再生する機能により再生させる制御を実行できる機能と、
を実現させるためのプログラム。
【発明の詳細な説明】
【技術分野】
【０００１】
本発明は、同一チャンネルを複数の帯域に分割し、帯域毎に異なる符号化方式を採用できるデジタル放送で送信されるデータを記憶させることで番組録画を行う技術に関する。
【背景技術】
【０００２】
最近、開始された地上デジタル放送には様々な魅力があるとされている。その魅力とは、鮮明な画像と奥行きのある音声、多チャンネル放送、データ放送と双方向サービス、モバイル向け放送、などである。このことから、現在、そのような魅力を生かす方向でのデジタル放送のありかたが模索されている。
【０００３】
地上デジタル放送では、１チャンネルを１３セグメント（ｓｅｇ）に分けている。それにより、セグメント単位で帯域を利用できるようになっている。多チャンネル放送では、１セグメント（チャンネル）を使った携帯端末装置（以降「モバイル」と記す）向け放送、残りの１２セグメントを使った１チャンネルのハイビジョン放送、或いは標準画質（ＳＤＴＶ）での３チャンネル放送を行うことができるようになっている。モバイル向け放送は１２セグメントを使った放送とは採用された符号化方式が異なっている。
【０００４】
各放送にはそれぞれ異なった利点がある。例えば１２セグメントを使った放送では１セグメントを使った放送とは違い、鮮明な画像と奥行きのある音声を楽しめる。しかし、そのためには、１セグメントを使った放送とは違い、比較的に大きな画面の表示装置が必要なことから、視聴するうえでの場所的な制約が大きい。このように、各放送の利点は異なることから、番組録画では、各放送毎にその録画を行えるようにすることは重要であると考えられる。その場合、モバイル向け放送に対応した携帯端末装置では、様々な場所で視聴できるという利点を重視することも重要であると考えられる。
【特許文献１】特開２００２−９７３３号公報
【発明の開示】
【発明が解決しようとする課題】
【０００５】
本発明の課題は、同一チャンネルにおいて異なる帯域を使って行われる各放送の番組を同時に録画できる番組録画装置を提供することにある。
また、本発明の課題は、複数の装置を同一の録画番組の再生に使用する場合に、その再生を快適に行えるようにする技術を提供することにある。
【課題を解決するための手段】
【０００６】
本発明の第１、及び第２の態様の番組録画装置は共に、同一チャンネルを複数の帯域に分割し、該帯域毎に異なる符号化方式を採用できるデジタル放送で送信されるデータを記憶させることで番組録画を行うことを前提とし、それぞれ以下の手段を具備する。
【０００７】
第１の態様の番組録画装置は、デジタル放送で送信されるデータを符号化方式別に受信して復調するための複数のデータ受信手段と、番組録画を行う場合に、複数のデータ受信手段がそれぞれ受信して復調するデータを記憶装置に並行して記憶させる番組録画手段と、を具備する。
【０００８】
第２の態様の番組録画装置は、上記第１の態様における構成に加えて、番組録画手段が記憶装置に並行して記憶させた、符号化方式が異なるデータ、及び該データを復号化して得られるデータを出力できるデータ出力手段と、データ出力手段が出力したデータにより、番組、及び符号化方式毎に、記憶装置に記憶されたデータ中で再生された再生位置を特定する再生位置特定手段と、番組録画手段が記憶装置に記憶されたデータをデータ出力手段に転送させる場合に、再生位置特定手段が特定した、該データに対応する再生位置を示す再生位置情報を併せて転送させる再生管理手段と、を更に具備する。
【０００９】
なお、上記再生管理手段は、記憶装置に記憶されたデータを再生できる携帯端末装置に該データをデータ出力手段に再生位置情報と併せて転送させた場合に、該携帯端末装置から送信される再生位置情報を再生位置特定手段による再生位置の特定に反映させる、ことが望ましい。
【００１０】
本発明の第１、及び第２の態様の携帯端末装置は共に、同一チャンネルを複数の帯域に分割し、該帯域毎に異なる符号化方式を採用できるデジタル放送で送信されるデータを再生できることを前提とし、それぞれ以下の手段を具備する。
【００１１】
第１の態様の携帯端末装置は、データを再生する再生手段と、データを記憶装置に記憶させて番組録画を行う番組録画装置から該データを該データの再生位置を示す再生位置情報と併せて取得するデータ取得手段と、データ取得手段が取得したデータを、再生位置情報が示す再生位置から再生手段に再生させる制御を実行できる再生制御手段と、を具備する。
【００１２】
第２の態様の携帯端末装置は、上記第１の態様における構成に加えて、再生手段によるデータの再生に応じて、再生位置情報を更新する位置情報更新手段と、位置情報更新手段が更新した再生位置情報を番組録画装置に送信できる情報送信手段と、を更に具備する。
【００１３】
本発明のプログラムは、上記第１の態様の携帯端末装置が具備する手段を実現させるための機能を搭載している。
【発明の効果】
【００１４】
本発明は、デジタル放送で送信されるデータを符号化方式別に受信して復調し、それによって得られる、符号化方式が異なる複数の復調されたデータを記憶装置に並行して記憶させることにより番組録画を行う。このため、１回の録画で複種類の放送の番組を録画することができる。
【００１５】
本発明は、番組、及び符号化方式毎に、記憶装置に記憶されたデータ中で再生された生位置を特定し、そのデータを転送させる場合に、そのデータに対応する再生位置を示す再生位置情報を併せて転送する。その再生位置情報により、転送側では、データ中で再生された部分を認識することができる。このため、装置が異なっても、既に再生させたところからデータの再生を開始させることができるようになる。その結果、複数の装置を同一の録画番組の再生に使用しても、その再生を快適に行えることとなる。
【発明を実施するための最良の形態】
【００１６】
以下、本発明の実施の形態について、図面を参照しながら詳細に説明する。
図１は、本実施の形態による番組録画装置の構成図である。
その番組録画装置は、例えば１２セグメントを割り当てた放送（以降「１２ｓｅｇ放送」と呼ぶ）、及び１セグメントを割り当てた放送（以降「モバイル放送」と呼ぶ）が行われる地上デジタル放送の信号（データ）を受信して番組録画を行えるものであり、図１に示すように、放送用の電波のなかで設定チャンネルのものをアンテナＡＴにより受信して受信信号を出力する２つのチューナー部１０１、１０２と、それらによる受信信号を復調する２つのＯＦＤＭ（Orthogonal Frequency Division Multiplexing）復調回路１０３、１０４と、それらによる復調後の受信信号を復号化して、映像データ、音声データをそれぞれ出力する２つの復号回路１０５、１０６と、各復号回路１０５、１０６から入力した映像データ、音声データの一方を有線、ＷＡＮ、或いはＬＡＮといった通信ネットワーク、或いは無線（ここではBluetooth）により出力する出力部１０７、各種スイッチを有するスイッチ（ＳＷ）部１０８と、例えばＲＡＭ、及びＲＯＭからなるメモリ部１０９と、装置全体の制御を行うＣＰＵ１１０と、例えばハードディスク装置、或いは着脱自在なＤＶＤ等の記録媒体にアクセスする媒体駆動装置である映像記憶部１１１と、を備えて構成されている。
【００１７】
上記構成において、番組録画は、復調回路１０３、１０４がそれぞれ出力する復調後のデータ（圧縮されたデータ）を映像記憶部１１１に記憶させることで行われる。それに記憶されたデータの再生は、そのデータを順次、対応する復号回路１０５、１０６に送って復号化させ、その復号化によって得られたデータ（映像データ、音声データ）を、出力部１０７を介して出力させることで行われる。映像記憶部１１１に記憶されたデータを出力（転送）させる場合には、そのデータが直接、出力部１０７に送られる。これは、転送される側で必要なメモリ容量を抑えるためである。
【００１８】
そのように、各復調回路１０３、１０４がそれぞれ出力するデータを映像記憶部１１１に記憶させることにより、各チューナー部１０１、１０２がそれぞれ受信する、同一チャンネルで異なる放送の番組が同時に録画されることになる。このため、ユーザーは、１回の録画で１２ｓｅｇ放送、モバイル放送の両方の番組を楽しめることとなる。なお、１２ｓｅｇ放送、モバイル放送で採用された符号化方式は特には限定するものではないが、ここでは前者ではＭＰＥＧ２、後者ではＨ．２６４の勧告が採用されていると想定する。
【００１９】
図２は、本実施の形態による携帯端末装置の構成図である。その携帯端末装置（以降「携帯端末」と略記）は、上記出力部１０７から出力されたデータを再生できるものであり、具体的には、例えば携帯電話機、或いはＰＨＳなどの移動通信端末装置である。図２に示すように、アンテナＡＴ１を介して送受信する信号の周波数変換、及び変復調等を行うＲＦ（Radio Frequency）ブロック部２０１と、放送用の電波のなかで設定チャンネルのものをアンテナＡＴ２により受信して受信信号を出力するチューナー部２０２と、その受信信号を復調するＯＦＤＭ（Orthogonal Frequency Division Multiplexing）復調部２０３と、その復調後の受信信号を復号化して、映像データ、音声データをそれぞれ出力する復号部２０４と、端末全体の制御を行うＣＰＵ２０５と、そのＣＰＵ２０５が実行するプログラムや各種制御用データを格納したＲＯＭ２０６と、ＣＰＵ２０５がワークに用いるＲＡＭ２０７と、例えば共に液晶表示装置である２つの表示部２０８、及び２０９と、各表示部２０８、２０９に画像（映像）を表示させる表示ドライバ部２１０と、音声入力用のマイク２１１と、音声放音用のスピーカ２１２と、イヤホン用のジャック２１３と、各種スイッチを有するスイッチ部２１４と、着脱自在な外部メモリにアクセスするための外部メモリインターフェース部２１５と、例えば無線により外部装置と通信を行うための通信インターフェース部２１６と、を備えて構成されている。
【００２０】
なお、特には図示していないが、マイク２１１から出力されるアナログの音声信号はＡ／Ｄ変換器によりデジタルの音声信号に変換された後、ＣＰＵ２０５、或いはＲＦブロック部２０１に出力される。また、スピーカ２１２、及びジャック２１３には、Ｄ／Ａ変換器により変換されたアナログの音声信号が出力される。
【００２１】
上記２つの表示部２０８、及び２０９は、画面の大きさが異なるものである。その画面は、表示部２０８のほうが大きくなっている。このことから、表示部２０８はメイン表示部、表示部２０９はサブ表示部、とそれぞれ呼ぶことにする。
【００２２】
上記ＲＦブロック部２０１は、携帯電話網、或いはＰＨＳ網から送信された信号を受信し処理するものである。受信した信号は復調して、ＣＰＵ２０５、或いはスピーカ２１２、及びジャック２１３（以降、前者のみを表記する）に出力する。電話による通話時には、その信号をスピーカ２１２に出力することにより接続先（電話がつながった電話機）からの音声を放音させる。インターネット接続時には、その信号（デジタルデータ）をＣＰＵ２０５に出力する。電話による通話時には、マイク２１１からの音声信号を入力し、それを変調してアンテナＡＴ１を介して送信する。以降、ＲＦブロック部２０１が信号を受信する通信ネットワークは携帯電話網であると想定することとする。
【００２３】
チューナー部２０１により受信する放送はデジタル放送で１セグメントが割り当てられた放送、つまり基本的には図１に示すチューナー部１０２と同じものである。そのチューナー部２０１により受信された番組のデータは、ＯＦＤＭ復調部２０３で復調され、復調後のデータが復号部２０４によって復号化され、その復号化によって得られた映像データは表示ドライバ部２１０に送られることにより、メイン表示部２０８に表示される。その復号化によって得られた音声データは、スピーカ２１２に出力されることで音声として放音される。それにより、携帯端末は、電話機の他に、テレビジョン（以降「テレビ」或いは「ＴＶ」と略記）として用いることができるものとなっている。
【００２４】
上記番組録画装置から送信されたデータは、通信インターフェース部２１６により受信される。ＣＰＵ１０５は、その受信されたデータを例えば外部メモリインターフェース部２１５に送り、不図示の外部メモリに記憶させる。そのメモリに記憶されたデータ（圧縮されたデータ）は、順次、ＯＦＤＭ復調部２０３に送って復号化し、それによって得られる映像データ、及び音声データをそれぞれ表示ドライバ部２１０、スピーカ２１２に出力させることで再生される。
【００２５】
図３は、映像記憶部１１１に記憶されるデータを説明する図である。図中の「１２ｓｅｇ映像」「１ｓｅｇ映像」はそれぞれ１２ｓｅｇ放送、モバイル放送で放送された番組のデータ（圧縮された映像データ、及び音声データ）を示している。それに付加された形の「００１」等は、識別用の映像ナンバー（Ｎｏ．）である。そのナンバーが同じものは、同時に記憶（録画）されたことを表している。本実施の形態では、それらの放送のデータが同時に記憶させているため、同じナンバーが付された１２ｓｅｇ映像、１ｓｅｇ映像が存在している。
【００２６】
映像記憶部１１１には、次回再生箇所管理エリアが確保されている。そのエリアには、映像ナンバー毎に、１２ｓｅｇ映像、１ｓｅｇ映像の再生が行われた再生位置を示すデータが共に格納されている。１２ｓｅｇ放送、モバイル放送で採用された符号化方式では共に、録画再生を適切に行うにはＩフレーム（フレーム内符号化方式のみによるフレーム）から再生を開始させる必要がある。このことから、本実施の形態では、その再生位置を示すデータとしてその再生位置の直前に位置するＩフレームのシリアルナンバーを格納させている。
【００２７】
録画再生は、番組録画装置が行う他に、図２に示すような携帯端末で行うことができる。その携帯端末が行った録画再生を考慮しなければ実際に録画再生が行われた最後の位置である再生位置を正確に特定することはできない。このようなこともあって、本実施の形態では、番組録画装置の他には、それがデータ転送を行った携帯端末を対象にする形で再生位置を常に正確に特定するようにしている。その再生位置については以降「再生箇所」と呼ぶこととする。
【００２８】
以降は、図４〜図１０に示す各処理のフローチャート、並びに図１１、及び図１２に示す各説明図を参照して、上述の番組録画装置、及び携帯端末の動作について詳細に説明する。なお、番組録画装置による図４〜図７に示す各処理は、例えばＣＰＵ１１０が、メモリ部１０９に格納されたプログラムを実行することで実現される。携帯端末による図８〜図１０に示す各処理も同様に、例えばＣＰＵ２０５が、ＲＯＭ２０６に格納されたプログラムを実行することで実現される。
【００２９】
始めに、番組録画装置によって実行される処理について説明する。
図４は、録画処理のフローチャートである。その録画処理は、スイッチ部１０８が有する録画スイッチを操作することで指示される録画を実現させるために実行される処理であり、例えばその録画スイッチの操作により発生する割込み信号によって起動される。最初に図４を参照して、その録画処理について詳細に説明する。
【００３０】
先ず、ステップ４０１では、映像記憶部１１１の空きエリアを指定する。続くステップ４０２では、その空きエリアに記憶するデータに割り当てる映像ナンバーを確保し、図３に示す次回再生箇所エリアにそのナンバー、及びＩフレームのシリアルナンバーをストアするエリアを確保して、その確保したエリア内に映像ナンバーをストアする。その後は、スイッチ部１０８が有する開始スイッチがオンされるのを待ってステップ４０４に移行し、各ＯＦＤＭ復調回路１０３、１０４が復調したデータ（圧縮された映像データ、及び音声データ）をそれぞれ分けて空きエリアに記憶させる。その後はステップ４０５に移行する。
【００３１】
ステップ４０５では、スイッチ部１０８が有する停止スイッチがオンされたか否か判定する。そのスイッチをユーザーが操作した場合、判定はＹＥＳとなってステップ４０６に移行する。そうでない場合には、判定はＮＯとなって上記ステップ４０４に戻る。それにより、ユーザーが停止スイッチを操作するまでの間、録画を行う。
【００３２】
ステップ４０６では、その録画を停止させる処理を行う。次のステップ４０７では、図３に示す次回再生箇所管理エリア内のステップ４０２で確保したエリアに、Ｉフレームのシリアルナンバーとしてそれぞれ０を代入させる。その後、一連の処理を終了する。
【００３３】
このようにして、１２ｓｅｇ映像、１ｓｅｇ映像が映像記憶部１１１に共に記憶され、次回再生箇所管理エリア内には、記憶されたデータに割り当てた映像ナンバー、共に値が０のシリアルナンバーがストアされる。
【００３４】
上記開始スイッチ、停止スイッチ、及び記録されたデータを指定するためのスイッチなどに対して行われた操作は、録画スイッチとは異なり、スイッチ部１０８から随時、或いはＣＰＵ１１０の問い合わせによりそのＣＰＵ１１０に通知される。それにより、その通知によってそれらのスイッチに対して行われた操作を認識するようになっている。
【００３５】
図５は、再生処理のフローチャートである。その再生処理は、スイッチ部１０６が有する再生スイッチを操作することで指示される録画番組の再生を実現させるために実行される処理であり、例えばその再生スイッチの操作により発生する割込み信号によって起動される。次に図５を参照して、その再生処理について詳細に説明する。
【００３６】
先ず、ステップ５０１では、ユーザーのスイッチ部１０８への操作に応じて、再生の対象とする番組に付した映像ナンバーを指定する。次のステップ５０２では、データの転送に用いる伝送経路をユーザーの操作に応じて指定する。その後は、ユーザーが開始スイッチを操作するのを待ってステップ５０４に移行する。
【００３７】
本実施の形態では、記憶させた番組のデータ（録画データ）は出力部１０７を介して有線、通信ネットワーク（Ｗ／ＬＡＮ）、或いは無線で転送するようになっている。それらのなかで無線は１ｓｅｇ映像用とし、それ以外は１２ｓｅｇ映像用とさせている。このことから、ステップ５０４では、指定した伝送経路が無線（図中「Bluetooh」と表記）か否か判定する。その伝送経路が無線であった場合、判定はＹＥＳとなってステップ５０５に移行する。それ以外の伝送経路であった場合には、判定はＮＯとなってステップ５１０に移行する。
【００３８】
ステップ５０５では、映像記憶部１１１に記憶されている、ステップ５０１で指定の映像ナンバーに対応する１ｓｅｇ映像を読み出す。続くステップ５０６では、それを復号回路１０６に送り、Ｈ．２６４の勧告による復号化を行わせる。その次のステップ５０７では、その復号化によって得られたデータを出力部１０７に指示して無線で送信させる。ステップ５０８にはその後に移行する。
【００３９】
ステップ５０８では、停止スイッチのオン、及び再生すべき１ｓｅｇ映像の再生の完了の何れかが発生したか否か判定する。そのスイッチをユーザーが操作するか、或いは１ｓｅｇ映像の再生が完了した場合、判定はＹＥＳとなってステップ５０９に移行し、その１ｓｅｇ映像に対応するＩフレームのシリアルナンバーの更新を行った後、一連の処理を終了する。そうでない場合には、判定はＮＯとなって上記ステップ５０５に戻る。それにより、１ｓｅｇ映像の再生を継続させる。
【００４０】
停止スイッチをユーザーが操作することで１ｓｅｇ映像の再生を途中で停止させることでステップ５０９に移行した場合、映像記憶部１１１から最後にデータを読み出したＩフレームのシリアルナンバーに、次回再生箇所管理エリア中でその１ｓｅｇ映像に対応するフレームナンバーを更新する。一方、その１ｓｅｇ映像の再生が完了することでステップ５０９に移行した場合には、そのシリアルナンバーとして０をストアする。そのようにＩフレームのシリアルナンバー（再生箇所を示すものであることから、以降「再生箇所シリアルナンバー」とも呼ぶことにする）を保存することにより、１ｓｅｇ映像の再生済みのところからの再生開始を行えるようにさせている。
【００４１】
上記ステップ５０４の判定がＮＯとなって移行するステップ５１０〜５１４では、再生の対象を１２ｓｅｇ映像、伝送経路を無線以外のものとして、上記ステップ５０５〜５０９と同様の処理が行われる。このことから、詳細な説明は省略する。
【００４２】
図６は、転送処理のフローチャートである。その転送処理は、スイッチ部１０６が有する転送スイッチを操作することで指示される録画番組の転送を実現させるために実行される処理であり、録画処理等と同様に、例えば転送スイッチの操作により発生する割込み信号によって起動される。次に図６を参照して、その転送処理について詳細に説明する。
【００４３】
先ず、ステップ６０１では、ユーザーのスイッチ部１０８への操作に応じて、転送の対象とする番組に付した映像ナンバーを指定する。次のステップ６０２では、データの転送に用いる伝送経路をユーザーの操作に応じて指定する。その後は、ユーザーが開始スイッチを操作するのを待ってステップ６０４に移行する。
【００４４】
ステップ６０４では、指定した伝送経路が無線（図中「Bluetooh」と表記）か否か判定する。その伝送経路が無線であった場合、判定はＹＥＳとなってステップ６０５に移行する。それ以外の伝送経路であった場合には、判定はＮＯとなってステップ６０８に移行する。
【００４５】
ステップ６０５では、映像記憶部１１１の次回再生箇所管理エリアにストアされている、ステップ６０１で指定した映像ナンバーにおける再生箇所シリアルナンバー（Ｉフレームのシリアルナンバー）を共に出力部１０７に送り、無線で送信させる。続くステップ６０６では、その映像ナンバーの１ｓｅｇ映像を映像記憶部１１１から読み出し、それを出力部１０７により無線で送信させる処理を行う。その処理は、転送が終了することでステップ６０７の判定がＹＥＳとなるまで継続して繰り返し行う。その判定がＹＥＳとなった後、一連の処理を終了する。
【００４６】
上記ステップ６０４の判定がＮＯとなって移行するステップ６０８〜６１０では、転送の対象を１２ｓｅｇ映像、伝送経路を無線以外のものとして、上記ステップ６０５〜６０７と同様の処理が行われる。このことから、詳細な説明は省略する。
【００４７】
再生の対象となるデータと併せてＩフレームのシリアルナンバーを転送（送信）することにより、それらを受信した携帯端末は、そのデータのなかで既に再生（視聴）された部分を特定することができるようになる。本実施の形態では、そのシリアルナンバーを併せて転送することにより、後述するように、それまで再生したところ以降から再生を開始するか否かユーザーに選択させるようにしている。
【００４８】
データを転送した携帯端末でユーザーが残りの部分を全て再生させるとは限らない。このことから、本実施の形態では、携帯端末から再生箇所のフレームナンバーを受信すると、次回再生箇所管理エリア内の対応するナンバーをそのナンバーに更新するようにしている。それにより、たとえ複数の装置を同一の番組の再生に用いたとしても、ユーザーが再生させていないところからの再生開始をより確実に実現できるようにさせている。番組録画装置が実行する処理としては、最後にその更新を実現させるＩフレームナンバー受信処理について、図７に示すそのフローチャートを参照して詳細に説明する。
【００４９】
その受信処理では、先ず、ステップ７０１でそのフレームナンバーを受信した伝送経路が無線か否か判定する。その伝送経路が無線であった場合、判定はＹＥＳとなってステップ７０２に移行し、併せて送信される映像ナンバーのフレームナンバーを、受信したフレームナンバーに書き換える。その後、一連の処理を終了する。一方、そうでない場合には、判定はＮＯとなってステップ７０３に移行し、併せて送信される映像ナンバーのフレームナンバーを受信したフレームナンバーに書き換えた後、一連の処理を終了する。
【００５０】
以降は、図２に示す構成の携帯端末が実行する処理を説明する。
図８、図９は、携帯端末が実行する再生処理のフローチャートである。次に図８、図９を参照して、携帯端末が実行する再生処理について詳細に説明する。その再生処理も例えば番組録画装置と同様に、スイッチ部２１４が有する再生スイッチをユーザーが操作することで発生する割込み信号によって起動される。
【００５１】
先ず、ステップ８０１では、図１１に示すような再生開始選択画面を表示部１０８に表示させる。続くステップ８０２では、アイコンＡをフォーカスして選択状態とさせる。その後に移行するステップ８０３では、カーソルスイッチがオンされたか否か判定する。カーソルスイッチを構成する上下スイッチの何れかをユーザーが操作した場合、判定はＹＥＳとなり、ステップ８０４でフォーカス位置の移動をそれまでの位置、操作されたスイッチの種類に応じて行った後、ステップ８０５に移行する。そうでない場合には、判定はＮＯとなってそのステップ８０５に移行する。
【００５２】
図１１に示すように、再生開始選択画面上に配置されたアイコンＡには「最初から再生」が表記され、アイコンＢには「途中から再生」が表記されている。その途中とは、それまで再生させた部分の最後のところのことであり、１２ｓｅｇ放送用とモバイル放送用の２種類が存在する。そのような画面を表示させることにより、最初、及び途中のうちの何れかをユーザーに選択させるようにしている。
【００５３】
ステップ８０５では、決定スイッチがオンされたか否か判定する。そのスイッチをユーザーが操作した場合、判定はＹＥＳとなり、再生開始位置が選択されたとしてステップ８０７に移行する。そうでない場合には、判定はＮＯとなってステップ８０６に移行し、クリアスイッチがオンされたか否か判定する。そのスイッチをユーザーが操作した場合、判定はＹＥＳとなり、データの再生をキャンセルしたとして、ここで一連の処理を終了する。そうでない場合には、判定はＮＯとなって上記ステップ８０３に戻る。それにより、ユーザーが何らかの指示を行うのを待つ。
【００５４】
ステップ８０７では、決定スイッチが操作されたときのフォーカス位置がアイコンＡか否か判定する。アイコンＡがフォーカスされている状態でユーザーが決定スイッチを操作した場合、判定はＹＥＳとなりステップ８０８に移行する。そうでない場合には、判定はＮＯとなって図９のステップ８１４に移行する。
【００５５】
ステップ８０８では、外部メモリインターフェース部２１５によりアクセスする外部メモリに格納された、再生対象のデータの先頭を読み出し開始位置として指定する。続くステップ８０９では、インターフェース部２１５を介してデータの読み出しを行う。その次に移行するステップ８１０では、読み出したデータを復号部２０４に送って復号化させる。その後に移行するステップ８１１では、復号化によって得られた映像データを表示ドライバ部２１０に送ってメイン表示部２０８に表示させる。
【００５６】
上記ステップ８０９〜８１１の処理は、スイッチ部２１４の停止スイッチをユーザーが操作するか、或るいは再生対象のデータの再生を全て終了することにより、ステップ８１１の処理の実行後に移行するステップ８１２の判定がＹＥＳとなるまで継続して繰り返し実行される。その判定がＹＥＳとなった場合には、ステップ８１３に移行し、それまで再生箇所管理用に保存していたＩフレームのシリアルナンバーを、ユーザーが停止スイッチを操作したのであれば最後にデータを読み出したＩフレームのシリアルナンバー、再生が終了したのであれば０に書き換える。その後は上記ステップ８０１に戻る。
【００５７】
上記ステップ８０７の判定がＮＯ、つまり途中からの再生をユーザーが選択することによって移行する図９のステップ８１４では、図１２に示すような途中選択画面をメイン表示部２０８に表示させる。次のステップ８１５では、アイコンＣをフォーカスして選択状態とさせる。その次に移行するステップ８１６では、カーソルスイッチがオンされたか否か判定する。カーソルスイッチを構成する上下スイッチの何れかをユーザーが操作した場合、判定はＹＥＳとなり、ステップ８１７でフォーカス位置の移動をそれまでの位置、操作されたスイッチの種類に応じて行った後、ステップ８１８に移行する。そうでない場合には、判定はＮＯとなってそのステップ８１８に移行する。
【００５８】
図１２に示すように、途中選択画面上に配置されたアイコンＣには「携帯で見たところ」が表記され、アイコンＤには「家で見たところ」が表記されている。携帯で見たところとは、１ｓｅｇ映像の再生を行った部分の最後の箇所のことであり、家で見たところとは、１２ｓｅｇ映像におけるその箇所のことである。本実施の形態では、それらのうちの何れかをユーザーに選択させるようにしている。これは、たとえ同じ人であっても、番組によっては単に視聴すれば良いと考えたり、ハイビジョンで視聴するのを強く望んだりするように、状況によって希望が大きく変化することから、そのときの希望に対してより確実に対応できるようにするためである。
【００５９】
ステップ８１８では、決定スイッチがオンされたか否か判定する。そのスイッチをユーザーが操作した場合、判定はＹＥＳとなり、再生開始位置が選択されたとしてステップ８２０に移行する。そうでない場合には、判定はＮＯとなってステップ８１９に移行し、クリアスイッチがオンされたか否か判定する。そのスイッチをユーザーが操作した場合、判定はＹＥＳとなり、別のデータの再生を望んでいる可能性があるとして、図８のステップ８０１に戻る。そうでない場合には、判定はＮＯとなって上記ステップ８１６に戻る。それにより、ユーザーが何らかの指示を行うのを待つ。
【００６０】
ステップ８２０では、決定スイッチが操作されたときのフォーカス位置がアイコンＣか否か判定する。アイコンＣがフォーカスされている状態でユーザーが決定スイッチを操作した場合、判定はＹＥＳとなり、ステップ８２１において、記憶されている１ｓｅｇ映像用の再生箇所シリアルナンバーに対応するフレームを指定してそのデータの外部メモリからの読み出しを行った後、ステップ８２３に移行する。そうでない場合には、判定はＮＯとなり、ステップ８２２において、同様に１２ｓｅｇ映像用の再生箇所シリアルナンバーに対応するフレームを指定してそのデータの外部メモリからの読み出しを行った後、ステップ８２３に移行する。
【００６１】
上記再生過疎シリアルナンバーは、図１に示す番組録画装置から転送されたものか、そうでなければ、上記ステップ８１３、或いは後述のステップ８２９で更新されたものである。そのようなシリアルナンバーで指定されるフレームから再生を開始することにより、再生させたデータの種類や使用した装置に係わらず、それまでに再生させた位置からの再生開始が適切に行えることとなる。そのシリアルナンバーは例えばＲＡＭ２０７に保存される。
【００６２】
ステップ８２３では、外部メモリから読み出したデータのフレームがＩフレームか否か判定する。そのフレームがＩフレームでなかった場合、判定はＮＯとなってステップ８２４に移行し、そのフレームの直前に位置するＩフレームの検索を行う。その後はステップ８２５に移行する。一方、そうでない場合には、判定はＹＥＳとなってそのステップ８２５に移行する。
【００６３】
ステップ８２５では、外部メモリからのデータの読み出しを行う。次に移行するステップ８２６では、読み出したデータを復号部２０４に送って復号化させる。その次に移行するステップ８２７では、復号化によって得られた映像データを表示ドライバ部２１０に送ってメイン表示部２０８に表示させる。
【００６４】
上記ステップ８２５〜８２７の処理は、スイッチ部２１４の停止スイッチをユーザーが操作するか、或るいは再生対象のデータの再生を全て終了することにより、ステップ８２７の処理の実行後に移行するステップ８２８の判定がＹＥＳとなるまで継続して繰り返し実行される。その判定がＹＥＳとなった場合には、ステップ８２９に移行し、保存しているＩフレームのシリアルナンバーを、ユーザーが停止スイッチを操作したのであれば最後にデータを読み出したＩフレームのシリアルナンバー、再生が終了したのであれば０に書き換える。その後は図８のステップ８０１に戻る。
【００６５】
携帯端末が保存する再生箇所シリアルナンバーは、映像ナンバーを指定してその送信を指示することで番組録画装置に通信インターフェース部２１６を介して送信される（図１０のステップ１００１）。その送信により、番組録画装置は図７に示すＩフレームナンバー受信処理を実行する。それにより、番組録画装置と携帯端末はそのシリアルナンバーの同期を実現させている。
【００６６】
なお、本実施の形態では、１２ｓｅｇ映像、１ｓｅｇ映像の再生箇所の何れからも再生開始できるように、それらの再生箇所シリアルナンバーを共に携帯端末に転送しているが、そのうちの何れか一方のみを転送するようにしても良い。それらのうちで再生箇所がより後となっているほう、つまりより長い時間分の再生を行ったほうのシリアルナンバーを転送する場合には、図６に示す転送処理を図１３に示すように変更すれば良い。その図１３に示す転送処理において、ステップ１３０１〜１３１０の処理は図６におけるステップ６０１〜６１０のそれとステップ１３０５、１３０８を除き基本的に同じである。そのステップ１３０５、１３０８では、２つの再生箇所シリアルナンバーのうち、より大きいほうのみを携帯端末に転送するようになっている。
【００６７】
そのような変更への携帯端末における対応は、図８、図９に示す再生処理のなかで図９に示すステップ８１４〜８２９を図１４に示すステップ１４０１〜１４０８に変更することで行うことができる。その図１４に示すフローチャートでは、各映像ナンバーのデータには再生箇所シリアルナンバーは一つだけであることから、ステップ１４０１でそのナンバーで指定されるフレームを再生開始位置とさせている。それ以降のステップ１４０２〜１４０８の処理は図９のステップ８２３〜８２９のそれと基本的に同じである。
【００６８】
また、再生箇所シリアルナンバーはデータを転送する全ての装置に転送しないようにしても良い。そのような変更は、図６に示す転送処理を図１５に示すように変更することで実現させることができる。その図１５に示す転送処理において、ステップ１５０１〜１５０７の処理は図６におけるステップ６０１〜６０７にそれぞれ対応し、ステップ１５０８、１５０９は図６におけるステップ６０９〜６１０にそれぞれ対応する。そのような対応において、ステップ１５０５はそれと対応するステップ６０５とは異なり、１ｓｅｇ映像用の再生箇所シリアルナンバーのみを転送するようになっている。
【００６９】
そのように再生箇所シリアルナンバーの転送先を制限していることから、図７に示すＩフレームナンバー受信処理は図１６に示すように変更する必要がある。その図１６に示す受信処理では、先ず、ステップ１６０１でそのフレームナンバーを受信した伝送経路が無線か否か判定する。その伝送経路が無線であった場合、判定はＹＥＳとなってステップ１６０２に移行し、フレームナンバーと併せて送信される映像ナンバーの１ｓｅｇ映像用のフレームナンバーを、受信したフレームナンバーに書き換える。その後、一連の処理を終了する。一方、そうでない場合には、判定はＮＯとなり、ここで一連の処理を終了するようになっている。
【００７０】
再生箇所を示すデータとしては、適切に再生を開始するためにＩフレームのシリアルナンバーを採用しているが、別のデータを採用しても良い。例えば先頭からの再生時間を採用しても良い。
【００７１】
上述したような番組録画装置、或いは携帯端末を実現させるようなプログラムは、ＣＤ−ＲＯＭ、ＤＶＤ、或いは着脱自在なフラッシュメモリ等の記録媒体に記録させて配布しても良い。携帯電話網等の通信ネットワークを介して、そのプログラムの一部、若しくは全部を配信するようにしても良い。そのようにした場合には、ユーザーはプログラムを取得して番組録画装置、或いは携帯端末にロードすることによって本発明を適用させることができるようになる。このことから、記録媒体は、プログラムを配信する装置がアクセスできるものであっても良い。
【図面の簡単な説明】
【００７２】
【図１】本実施の形態による番組録画装置の構成図である。
【図２】本実施の形態による携帯端末装置の構成図である。
【図３】映像記憶部に記憶されるデータを説明する図である。
【図４】録画処理のフローチャートである。
【図５】再生処理のフローチャートである。
【図６】転送処理のフローチャートである。
【図７】Ｉフレームナンバー受信処理のフローチャートである。
【図８】本実施の形態による携帯端末装置が実行する再生処理のフローチャートである。
【図９】本実施の形態による携帯端末装置が実行する再生処理のフローチャートである（続き）。
【図１０】Ｉフレームナンバー送信処理のフローチャートである。
【図１１】再生開始選択画面を説明する図である。
【図１２】途中選択画面を説明する図である。
【図１３】転送処理のフローチャートである（他の実施の形態：その１）。
【図１４】他の実施の形態による携帯端末装置が実行する再生処理のフローチャートである（その１：抜粋）。
【図１５】転送処理のフローチャートである（他の実施の形態：その２）。
【図１６】Ｉフレームナンバー受信処理のフローチャートである（他の実施の形態）。
【符号の説明】
【００７３】
１０１、１０２、２０２    チューナー部
１０３、１０４    ＯＦＤＭ復調回路
１０５、１０６    復号回路
１０７    出力部
１０８，２１４    スイッチ部
１０９    メモリ部
１１０、２０５    ＣＰＵ
１１１    映像記憶部
２０３    ＯＦＤＭ復調部
２０４    復号部
２０６    ＲＯＭ
２０７    ＲＡＭ
２０８    表示部
２１０    表示ドライバ部
２１２    スピーカ
２１５    外部メモリインターフェース部
２１６    通信インターフェース部
【図１】
2005204064.tif 000003
【図２】
2005204064.tif 000004
【図３】
2005204064.tif 000005
【図４】
2005204064.tif 000006
【図５】
2005204064.tif 000007
【図６】
2005204064.tif 000008
【図７】
2005204064.tif 000009
【図８】
2005204064.tif 000010
【図９】
2005204064.tif 000011
【図１０】
2005204064.tif 000012
【図１１】
2005204064.tif 000013
【図１２】
2005204064.tif 000014
【図１３】
2005204064.tif 000015
【図１４】
2005204064.tif 000016
【図１５】
2005204064.tif 000017
【図１６】
2005204064.tif 000018